(57)【要約】【課題】予約記録が異常である番組の再放送を検索して再放送の記録を行い、該記録が異常である場合は、通信線を介して前記番組のコンテンツデータを取得することにより、再放送の記録失敗に対応することが出来る記録装置を提供する。【解決手段】番組の予約記録が異常であると判定した場合、ＣＰＵ１０１が前記番組の再放送に係るデータを検索し、記憶部８が該検索の結果に基づいて前記番組の再放送の一時記憶を行う。また、ＣＰＵ１０１は再放送の一時記憶が正常であるか否かの判定を行い、異常であると判定した場合、インターネットを介して番組提供装置２から前記番組のコンテンツデータを取得する。【選択図】図１
2008104006.tif 000002
【特許請求の範囲】
【請求項１】
受信した番組情報に基づき、番組を予約記録する記録装置において、
前記番組の予約記録が正常であるか否かを判定する判定手段と、
該判定手段の判定結果に応じ、前記番組情報から前記番組の再放送に係るデータを検索する検索手段と、
該検索手段の検索結果に基づき、前記番組の再放送の記録を行った場合、前記判定手段に再放送の記録が正常であるか否かの判定を指示する指示手段と、
該判定手段の判定結果に応じ、通信線を介して前記番組のコンテンツデータを取得する取得手段と
を備えることを特徴とする記録装置。
【請求項２】
前記番組情報に基づき、前記番組の再放送を含む放送日程に係るデータを記憶する記憶手段を備え、
該記憶手段の記憶データに基づき、前記番組の記録を行うように構成してあることを特徴とする請求項１に記載の記録装置。
【請求項３】
前記取得手段が定期的に又は不定期に番組情報を取得し、
取得した番組情報に、前記番組の放送変更に係るデータがあるか否かを判定する変更判定手段を備え、
該変更判定手段の判定結果に応じ、前記番組の記録を行うように構成してあることを特徴とする請求項１又は請求項２に記載の記録装置。
【請求項４】
前記取得手段の前記番組のコンテンツデータの取得が可能か否かを判定する可否判定手段と、
該可否判定手段の判定結果に応じて報知する報知手段と
を備えることを特徴とする請求項１乃至請求項３のいずれか一つに記載の記録装置。
【発明の詳細な説明】
【技術分野】
【０００１】
本発明は、番組の予約記録を行う記録装置に関する。
【背景技術】
【０００２】
近年、テレビジョン受像機が多機能化及び高機能化されつつある。また、このようなテレビジョン受像機の多機能化及び高機能化に従い、多様なサービスの提供が可能となった。例えば、ＶＯＤ（Video On Demand）がその１つである。ＶＯＤは、視聴者からのリクエストを受付け、リクエストをした視聴者にリクエストに係る番組を送信するサービスである。
【０００３】
また、過去に放送された番組の提供を行うセンタ装置に、ユーザがリクエスト信号を送信し、このリクエスト信号に応じてセンタ装置がリクエストに係る番組を送信する番組送受信システムが提案されている。(例えば、特許文献１参照)
【０００４】
一方、このようなテレビジョン受像機の多機能化及び高機能化、並びにサービスの多様化により、益々新しい録画機能が提案されている。
【０００５】
例えば、特許文献２では、受信した番組情報から番組情報の変更の有無を判断し、変更があると判断した場合、録画予約の設定を変更する録画予約装置が提案されている。
【０００６】
また、特許文献３では、例えば、電子番組表から見逃し番組を設定することにより、該見逃し番組の再放送を検索し、見逃し番組の再放送を録画する録画方法が提案されている。
【０００７】
また、特許文献４では、連続放送番組についての繰り返し予約設定情報を含む電子番組案内情報を記憶しているサーバから電子番組案内情報を取得し、予約設定手段が前記電子番組案内情報に含まれた所望の連続放送番組の繰り返し予約設定情報に基づき、予約設定を行う録画装置が提案されている。
【０００８】
また、特許文献５では、記録の予約に係る番組の画像不備、緊急番組変更などが発生した場合、これを自動的に認識し、記録の予約に係る番組の再放送を自動予約することができる番組記録保存装置を提案している。
【特許文献１】特開２００１−１４５０８７号公報
【特許文献２】特開平１０−９３９３６号公報
【特許文献３】特開２００４−１２８６２１号公報
【特許文献４】特開２００５−２４４６６１号公報
【特許文献５】特開２００６−１２９２８１号公報
【発明の開示】
【発明が解決しようとする課題】
【０００９】
しかしながら、上述の特許文献２の録画予約装置及び特許文献４の録画装置は、停電、電波状態の悪化などによる録画状態不良に対応することが出来ない。また、特許文献３の録画方法及び特許文献５の番組記録保存装置は、再放送を録画することにより、録画状態不良に対応しているものの、再放送の録画（記録）が出来なかった場合といった問題に対する解決案は提案されていない。
【００１０】
本発明は、斯かる事情に鑑みてなされたものであり、その目的は、受信した番組情報に基づいて番組の予約記録を行ったが、予約記録が異常である場合は、番組情報から前記番組の再放送を検索して再放送の記録を行い、また該再放送の記録が異常である場合は、通信線を介して前記番組のコンテンツデータを取得することにより、再放送の記録失敗に対応することが出来る記録装置を提供することにある。
【００１１】
また、本発明の他の目的は、前記番組情報に基づき、予約記録すべき番組の再放送を含む放送日程に係るデータを記憶する記憶手段を備え、該記憶手段の記憶データに基づいて記録を行うことにより、複数回の記録失敗の発生において、記録失敗が生じる度に前記番組情報から前記番組の再放送に係るデータを検索する処理を省略することが出来る記録装置を提供することにある。
【００１２】
また、本発明の他の目的は、定期的に又は不定期に通信線を介して番組情報を取得し、予約記録すべき番組の放送変更に係るデータがあるか否かを判定することにより、緊急放送の割り込みなどに起因する放送日程変更からの記録失敗を未然に防止することが出来る記録装置を提供することにある。
【００１３】
また、本発明の他の目的は、通信線を介した番組のコンテンツデータの取得が可能か否かを判定する可否判定手段を備えることにより、番組データの取得が不可能である場合、ユーザにその旨を知らせることが出来る記録装置を提供することにある。
【課題を解決するための手段】
【００１４】
本発明に係る記録装置は、受信した番組情報に基づき、番組を予約記録する記録装置において、前記番組の予約記録が正常であるか否かを判定する判定手段と、該判定手段の判定結果に応じ、前記番組情報から前記番組の再放送に係るデータを検索する検索手段と、該検索手段の検索結果に基づき、前記番組の再放送の記録を行った場合、前記判定手段に再放送の記録が正常であるか否かの判定を指示する指示手段と、該判定手段の判定結果に応じ、通信線を介して前記番組のコンテンツデータを取得する取得手段とを備えることを特徴とする。
【００１５】
本発明にあっては、受信した番組情報に基づいて番組を予約記録し、判定手段が前記番組の予約記録が正常であるか否かを判定する。予約記録が異常であると判定した場合、前記検索手段が前記番組情報から前記番組の再放送に係るデータを検索し、前記検索手段の検索結果に基づいて前記番組の再放送の記録を行う。また、前記指示手段は前記判定手段に再放送の記録が正常であるか否かの判定を指示し、異常であると判定した場合、前記取得手段が通信線を介して前記番組のコンテンツデータを取得する。
【００１６】
本発明に係る記録装置は、前記番組情報に基づき、前記番組の再放送を含む放送日程に係るデータを記憶する記憶手段を備え、該記憶手段の記憶データに基づき、前記番組の記録を行うように構成してあることを特徴とする。
【００１７】
本発明にあっては、前記記憶手段が前記番組情報から前記番組の再放送を含む全ての放送日程に係るデータを取り出して記憶し、前記記憶手段が記憶しているデータに基づき、前記番組の記録を行う。
【００１８】
本発明に係る記録装置は、前記取得手段が定期的に又は不定期に番組情報を取得し、取得した番組情報に、前記番組の放送変更に係るデータがあるか否かを判定する変更判定手段を備え、該変更判定手段の判定結果に応じ、前記番組の記録を行うように構成してあることを特徴とする。
【００１９】
本発明にあっては、前記取得手段が定期的に又は不定期に番組情報を取得し、変更判定手段は取得した番組情報に、前記番組の放送変更に係るデータがあるか否かを判定する。前記変更判定手段が放送変更に係るデータがあると判定した場合、前記放送変更に係るデータに応じて前記番組の記録を行う。
【００２０】
本発明に係る記録装置は、前記取得手段の前記番組のコンテンツデータの取得が可能か否かを判定する可否判定手段と、該可否判定手段の判定結果に応じて報知する報知手段と
を備えることを特徴とする。
【００２１】
本発明にあっては、前記可否判定手段が、前記取得手段の前記番組のコンテンツデータの取得が可能か否かを判定し、前記番組のコンテンツデータの取得が不可能であると判定した場合は、例えば表示部などにその旨を表示してユーザに対して報知する。
【発明の効果】
【００２２】
本発明によれば、予約記録が異常である番組の再放送を検索して再放送の記録を行い、該記録が異常である場合、通信線を介して前記番組のコンテンツデータを取得するので、再放送の記録失敗に対応することが出来る。
【００２３】
本発明によれば、前記番組情報に基づき、前記番組の再放送を含む放送日程に係るデータを記憶する記憶手段を備えているので、該記憶手段の記憶データに基づいて前記番組の記録を行うことができ、複数回の記録失敗が生じた場合であっても、複数回に亘って前記番組情報から前記番組の再放送に係るデータを検索する必要がなくなる。
【００２４】
本発明によれば、定期的に又は不定期に番組情報を取得し、前記番組の放送変更に係るデータがあるか否かを判定するので、例えば緊急放送の割り込みが発生した場合であっても、記録失敗を未然に防止することが出来る。
【００２５】
本発明によれば、前記番組のコンテンツデータの取得が可能か否かを判定する可否判定手段を備えているので、前記番組のコンテンツデータの取得が不可能であると判定した場合はユーザにその旨を知らせることが出来る。
【発明を実施するための最良の形態】
【００２６】
（実施の形態１）
以下、本発明をその実施の形態を示す図面に基づいて詳述する。図１は本発明に係る録画装置１の構成及び録画装置１の番組提供装置２との関係を示すブロック図である。
【００２７】
本発明に係る録画装置１はインターネットを介して番組提供装置２と接続している。番組提供装置２はチャンネル別番組名、番組放送日、番組放送開始時刻、番組放送終了時刻、番組のカテゴリ、出演者などの番組情報並びに、過去に放送した番組を記憶しているデータベース（ＤＢ）を備える、例えばＣＡＴＶ（Community Antenna Television又はCable Television）又はＶＯＤのサービス提供者もしくは放送局である。
【００２８】
録画装置１はアンテナ３から送られた信号を復調し、トランスポートストリームに変換するチューナ部４と、チューナ部４からのトランスポートストリームから必要なデータを取り出すトランスポートデコード部５と、番組の画像及び音声データの復号化を行う画像・音声デコード部６と、表示部１５及びスピーカ１６に接続するためのインタフェース（Ｉ／Ｆ）７とを備えている。
【００２９】
また、録画装置１は番組提供装置２から取得した番組のコンテンツデータを記憶する記憶部８と、電子番組表の表示などの指示を受付ける受付部９と、後述の制御部１０の指示に応じてインターネットに接続するインターネット接続装置１２と、記録媒体に番組を記録する記録部１３と、制御部１０の指示に応じて表示部１５へ電子番組表などを表示するＯＳＤ処理部１１と、計時装置１４とを備えている。
【００３０】
制御部１０は、ＣＰＵ１０１と、ＲＯＭ１０２、ＲＡＭ１０３とからなる。ＲＯＭ１０２には処理プログラム、表示部１５に表示すべき文字データ等が予め記憶されている。ＲＡＭ１０３は例えば受信した番組情報、画像・音声デコード部６におけるレジスタの値の変化履歴及び、予約記録すべき番組の放送日、放送開始時刻、放送終了時刻などの予約記録情報を記憶する。
【００３１】
ＣＰＵ１０１は、記録部１３による予約記録が正常であるか否かを判定し、番組情報から番組の再放送に係るデータを検索し、後述のように再放送の記録が正常であるか否かを判定し、インターネットを介して番組提供装置２から番組のコンテンツデータを取得する。
【００３２】
なお、ＣＰＵ１０１は取得した番組情報に、予約記録すべき番組の放送変更に係るデータがあるか否かを判定し、番組提供装置２から予約記録すべき番組のコンテンツデータの取得が可能であるか否かを判定する。
【００３３】
チューナ部４はアンテナ３から送られた信号（ＲＦ信号）を検波及び復調し、エラー訂正を行ってトランスポートストリームに変換してトランスポートデコード部５にトランスポートストリームを送る。
【００３４】
トランスポートデコード部５はチューナ部４から送られてくるトランスポートストリームから番組の再生に必要な画像及び音声データ並びに、電子番組表に係るデータを取り出し、画像及び音声データを画像・音声デコード部６に、電子番組表に係るデータを制御部１０に送る。
【００３５】
画像・音声デコード部６はトランスポートデコード部５から送られてくる画像及び音声データを復号し、表示部１５及びスピーカ１６が出力可能な画像及び音声データにする。しかし、停電が起きたり、画像及び音声データが途切れたり、もしくは画像及び音声データにエラーが含まれたりした場合には、画像及び音声に乱れが生じるようになる。また、このような場合にはレジスタの値が変化する。したがって、このようなレジスタの値の変化履歴を記録し置き、例えばレジスタの値が所定値以上に上昇した回数を数え、それが所定回数以上である場合、ＣＰＵ１０１は予約記録が異常であると判定することが出来る。
【００３６】
記憶部８は光ディスク又は磁気ディスクからなり、記録部１３が記録すべき番組の画像データ及び音声データの一時記憶及び番組提供装置２から取得した予約記録すべき番組のコンテンツデータの記憶を行う。
【００３７】
受付部９は、例えば録画装置１を遠隔で操作する遠隔操作装置であり、電子番組表表示指示、番組の予約記録指示などを受付ける。
【００３８】
記録部１３はＣＰＵ１０１の指示に応じ、ＤＶＤ、磁気テープなどの記録媒体に予約記録すべき番組を記録する。
【００３９】
ＯＳＤ処理部１１はＣＰＵ１０１からの文字データ、色データ等に基づいて画像データを生成し、ＯＳＤ信号として表示部１５に表示する。ＯＳＤ処理部１１により、電子番組表、ユーザへの報知などの表示が行えることになる。
【００４０】
図２及び図３は本発明の実施の形態１に係る録画装置のＣＰＵ１０１の制御手順を示すフローチャートである。
【００４１】
ＣＰＵ１０１はアンテナ３又はインターネットを介して電子番組表を含む番組情報を取得し（Ｓ１０１）、ＲＡＭ１０３に記憶する。ＣＰＵ１０１はユーザから電子番組表表示指示を受付けた場合（Ｓ１０２）、ＲＡＭ１０３から電子番組表に係るデータを読出してＯＳＤ処理部１１へ送り、ＯＳＤ処理部１１は表示部１５へ電子番組表を表示する。図４は電子番組表の一例を示す例示図である。前記電子番組表には、各チャンネルロゴ、各チャンネル番号、該チャンネルの受付部９において登録されている番号、チャンネル別番組タイトル等が表示されている。実施の形態１においては図中ハッチングで示す「英語講座」番組を例として説明する。「英語講座」番組は１２チャンネルにて８時に１回目の放送が行われ、同日の１１時５５分にＢＳチャンネルで２回目（再放送）が放送される。
【００４２】
ユーザが電子番組表から予約記録を希望する番組（英語講座）を選択することにより、番組の予約記録指示を受付けた場合（Ｓ１０３）、ＣＰＵ１０１は前記番組情報から、前記番組の１回目の放送の放送チャンネル、放送日、放送開始時刻、放送終了時刻などの予約記録情報を取り出し、ＲＡＭ１０３に記憶する（Ｓ１０４）。
【００４３】
次いで、ＣＰＵ１０１は計時装置１４に計時開始を指示する（Ｓ１０５）。その後、ＣＰＵ１０１は計時開始から所定時間が経過したか否かを判定する（Ｓ１０６）。ＣＰＵ１０１は所定時間か経過したと判定した場合（Ｓ１０６：ＹＥＳ）、インターネット接続装置１２にインターネットへの接続を指示し（Ｓ１１１）、インターネットを介して番組提供装置２にアクセスする。ＣＰＵ１０１は番組提供装置２から最新の番組情報を取得し（Ｓ１１２）、ＲＡＭ１０３に記憶している予約記録すべき番組の予約記録情報と、最新の番組情報とを比較することにより、予約記録すべき番組の放送変更があるか否かを判定する（Ｓ１１３）。ＣＰＵ１０１は、予約記録すべき番組の放送変更がないと判定した場合（Ｓ１１３：ＮＯ）、Ｓ１０５に戻る。一方、予約記録すべき番組の放送変更があると判定した場合は（Ｓ１１３：ＹＥＳ）、最新の番組情報に基づき、予約記録すべき番組の予約記録情報の変更を行い（Ｓ１１４）、その後、Ｓ１０５に戻る。
【００４４】
一方、ＣＰＵ１０１が、所定時間が経過していないと判定した場合（Ｓ１０６：ＮＯ）、予約記録すべき番組の放送開始時刻であるか否かを判定する（Ｓ１０７）。予約記録すべき番組の放送開始時刻でないと判定した場合（Ｓ１０７：ＮＯ）、Ｓ１０６に戻る。ＣＰＵ１０１は、予約記録すべき番組の放送開始時刻であると判定した場合（Ｓ１０７：ＹＥＳ）、チューナ部４へ予約記録すべき番組に係るチャンネルの検波を指示し、記憶部８には、記録部１３が記録すべき番組の画像データ及び音声データの一時記憶を指示し（Ｓ１０８）、計時装置１４には計時終了を指示する。
【００４５】
前述のように、ＲＡＭ１０３には予約記録すべき番組の画像データ及び音声データを復号する際の画像・音声デコード部６のレジスタの値の変化履歴が記憶される。ＣＰＵ１０１は、記憶部８への記録すべき番組の画像データ及び音声データの一時記憶が終了した後、ＲＡＭ１０３が記憶している前記レジスタの値の変化履歴に基づいて予約記録が正常であるか否かを判定する（Ｓ１０９）。ＣＰＵ１０１は予約記録が正常であると判定した場合（Ｓ１０９：ＹＥＳ）、記録部１３に記憶部８が一時記憶している画像データ及び音声データに基く記録を指示する（Ｓ１１０）。
【００４６】
ＣＰＵ１０１は予約記録が異常又は、停電などによる記録失敗であると判定した場合（Ｓ１０９：ＮＯ）、ＲＡＭ１０３に記憶している番組情報から予約記録が異常である番組（以下、予約記録異常番組と言う）の再放送に係るデータを検索する（Ｓ１１５）。再放送の場合、特に他チャンネルでの再放送の場合は番組のタイトルに「再放送」といった文字が付くなどから、番組タイトルのみをキーワードとする検索では再放送に係るデータの検索が困難な場合が生じ得る。従って、予約記録異常番組の再放送に係るデータの検索においては、番組タイトル以外に番組のカテゴリ、出演者などもキーワードとした検索が有効である。
【００４７】
ＣＰＵ１０１は検索した再放送に係るデータに基づき、前記予約記録異常番組の予約記録情報の変更を行い（Ｓ１１６）、計時装置１４に計時開始を指示する。ＣＰＵ１０１は前記予約記録異常番組の再放送の開始時刻に、記憶部８に前記予約記録異常番組の再放送の画像データ及び音声データの一時記憶を指示し（Ｓ１１７）、計時装置１４には計時終了を指示する。次いで、ＣＰＵ１０１は記憶部８への前記予約記録異常番組の再放送の画像データ及び音声データの一時記憶が終了した後、ＲＡＭ１０３から前記予約記録異常番組の再放送に係るレジスタの値の変化履歴を読出し、該変化履歴に基づいて前記予約記録異常番組の再放送の記録が正常であるか否かを判定する（Ｓ１１８）。ＣＰＵ１０１は再放送の記録が正常であると判定した場合（Ｓ１１８：ＹＥＳ）、記録部１３に記憶部８が一時記憶している、前記予約記録異常番組の再放送の画像データ及び音声データに基づく記録を指示する（Ｓ１１９）。
【００４８】
一方、ＣＰＵ１０１が、前記予約記録異常番組の再放送の記録が異常であると判定した場合（Ｓ１１８：ＮＯ）、インターネット接続装置１２にインターネットへの接続を指示し（Ｓ１２０）、インターネットを介して番組提供装置２にアクセスする。次いで、ＣＰＵ１０１は再放送の記録が異常であった前記番組（以下、再放送記録異常番組と言う）のコンテンツデータを、番組提供装置２から取得（例えばダウンロード）することが出来るか否かを判定する（Ｓ１２１）。詳しくは、番組提供装置２が提供する過去に放送した番組のタイトルリストに前記再放送記録異常番組のタイトルがあるか否かを判定する。
【００４９】
ＣＰＵ１０１は前記再放送記録異常番組のコンテンツデータを番組提供装置２から取得することが出来ると判定した場合（Ｓ１２１：ＹＥＳ）、前記コンテンツデータを取得し（Ｓ１２２）、記憶部８に記憶する。また、記録部１３に、前記記憶部８が記憶している前記コンテンツデータに基づく記録を指示する。一方、ＣＰＵ１０１が前記再放送記録異常番組のコンテンツデータを番組提供装置２から取得することが出来ないと判定した場合（Ｓ１２１：ＮＯ）、ＲＯＭ１０２に予め記憶している文字データを読出してＯＳＤ処理部１１へ送って表示部１５に表示し、番組提供装置２からの前記再放送記録異常番組のコンテンツデータの取得が出来なかった旨を報知する（Ｓ１２３）。
【００５０】
実施の形態１においては、番組提供装置２からの番組のコンテンツデータの取得に失敗した場合、ユーザにその旨を報知する例について説明したが、これに限るものでない。例えば、番組提供装置２からの番組のコンテンツデータの取得に失敗した場合は、記憶部８が一時記憶している予約記録及び再放送の記録に係る各画像データ及び音声データの内で、何れか前記レジスタの値の変化が最も少ない画像データ及び音声データに基づいて記録を行うようにＣＰＵ１０１が記録部１３に指示する構成にしても良い。
【００５１】
（実施の形態２）
本発明の実施の形態２に係る録画装置は、実施の形態１の如くインターネットを介して番組提供装置と接続しており、番組提供装置は番組情報及び、過去に放送した番組を記憶しているデータベース（ＤＢ）を備える、例えば、ＣＡＴＶ又はＶＯＤのサービス提供者もしくは放送局である。
【００５２】
録画装置はアンテナから送られた信号を復調し、トランスポートストリームに変換するチューナ部と、チューナ部からのトランスポートストリームから必要なデータを取り出すトランスポートデコード部と、番組の画像及び音声データの復号化を行う画像・音声デコード部と、表示部及びスピーカに接続するためのインタフェースとを備えている。
【００５３】
また、番組提供装置から取得したコンテンツデータを記憶する記憶部と、電子番組表の表示などの指示を受付ける受付部と、制御部の指示に応じてインターネットに接続するインターネット接続装置と、記録媒体に番組を記録する記録部と、制御部の指示に応じて表示部へ電子番組表などを表示するＯＳＤ処理部と、計時装置とを備えている。
【００５４】
図５及び図６は、本発明の実施の形態２に係る録画装置のＣＰＵの制御手順を示すフローチャートである。
【００５５】
ＣＰＵはアンテナ又はインターネットを介して電子番組表を含む番組情報を取得し（Ｓ２０１）、ＲＡＭに記憶する。ＣＰＵはユーザから電子番組表表示指示を受付けた場合（Ｓ２０２）、ＲＡＭから電子番組表に係るデータを読出してＯＳＤ処理部へ送り、ＯＳＤ処理部は表示部へ電子番組表を表示する。図７は電子番組表の一例を一部省略して示す例示図である。前記電子番組表には、各チャンネルロゴ、各チャンネル番号、該チャンネルの受付部において登録されている番号、チャンネル別番組タイトル等が表示されている。実施の形態２においては図中ハッチングで示す「英語講座」番組を例として説明する。「英語講座」番組は１２チャンネルにて８時に１回目の放送が行われ、同日の１１時５５分にＢＳチャンネルで２回目（再放送）が放送される。また、同日の２３時４０分に１２チャンネルで３回目の放送が行われる。
【００５６】
ユーザが電子番組表から予約記録を希望する番組（英語講座）を選択することにより、番組の予約記録指示を受付けた場合（Ｓ２０３）、ＣＰＵは前記番組情報から、前記番組の全ての放送日程に係るデータを取り出し、予約記録情報としてＲＡＭに記憶する（Ｓ２０４）。図８は予約記録情報の一例を示す例示図である。前記番組の１回目から３回目までの放送における放送チャンネル、放送日、放送開始時刻、放送終了時刻などの予約記録情報が、予約記録の実施順位を示す変数であるＮ別に記憶されている。予約記録すべき番組は３回目の放送が最後であり、Ｎの最大値は３になる。ＣＰＵはＮの最大値が３であることをＲＡＭに記憶する。
【００５７】
次いで、ＣＰＵはＮに１を代入し（Ｓ２０５）、記憶部に実施順位Ｎに係る予約記録情報に基づく一時記憶を指示する（Ｓ２０６）。実施順位１に係る予約記録情報の放送開始時刻に、記憶部は予約記録すべき番組の一時記録を開始する。
【００５８】
記憶部が予約記録すべき番組の画像データ及び音声データの一時記録を行う際、画像・音声デコード部におけるレジスタの値の変化履歴はＲＡＭに記憶される。記憶部の前記番組の画像データ及び音声データの一時記録が終了した後、ＣＰＵはＲＡＭが記憶している前記変化履歴に基づいて予約記録が正常であるか否かを判定する（Ｓ２０７）。ＣＰＵは予約記録が正常であると判定した場合（Ｓ２０７：ＹＥＳ）、記録部に記憶部が一時記憶している前記画像データ及び音声データに基く記録を指示する（Ｓ２０８）。
【００５９】
ＣＰＵは予約記録が異常又は、停電などによる記録失敗であると判定した場合（Ｓ２０７：ＮＯ）、ＮにＮ＋１を代入し（Ｓ２０９）、得られたＮと、ＲＡＭから読出したＮの最大値とを比較することにより、得られたＮがＮの最大値より大きいか否かを判定する（Ｓ２１０）。
【００６０】
ＣＰＵは得られたＮがＮの最大値より大きくないと判定した場合（Ｓ２１０：ＮＯ）、Ｓ２０６に戻り、Ｓ２０６、Ｓ２０７、Ｓ２０９及びＳ２１０が繰り返される。その内、ＣＰＵが予約記録すべき番組の予約記録が正常であると判定した場合は、（Ｓ２０７：ＹＥＳ）、Ｓ２０８に進むが、最大値の実施順位Ｎに係る予約記録情報に基づく予約記録も異常であると判定された場合（Ｓ２０７：ＮＯ）は、Ｓ２０９で得られたＮが、Ｎの最大値より大きいとＳ２１０で判定され、Ｓ２１１に進む。
【００６１】
ＣＰＵは得られたＮが、Ｎの最大値より大きいと判定した場合（Ｓ２１０：ＹＥＳ）、インターネット接続装置にインターネットへの接続を指示し（Ｓ２１１）、インターネットを介して番組提供装置にアクセスする。次いで、ＣＰＵは予約記録が異常であった前記番組（以下、予約記録異常番組と言う）のコンテンツデータを、番組提供装置から取得（例えばダウンロード）することが出来るか否かを判定する（Ｓ２１２）。詳しくは、番組提供装置が提供する過去に放送した番組のタイトルリストに予約記録異常番組のタイトルがあるか否かを判定する。
【００６２】
ＣＰＵは前記予約記録異常番組のコンテンツデータを番組提供装置から取得することが出来ると判定した場合（Ｓ２１２：ＹＥＳ）、前記コンテンツデータを取得（Ｓ２１３）し、記憶部に記憶する。また、記録部に、前記記憶部が記憶している前記コンテンツデータに基づく記録を指示する。一方、ＣＰＵが前記予約記録異常番組のコンテンツデータを番組提供装置から取得することが出来ないと判定した場合（Ｓ２１２：ＮＯ）、ＲＯＭに予め記憶している文字データを読出してＯＳＤ処理部へ送って表示部に表示し、番組提供装置からの前記予約記録異常番組のコンテンツデータの取得が出来なかった旨をユーザに報知する（Ｓ２１４）。
【００６３】
実施の形態２においては、番組提供装置からの番組のコンテンツデータの取得に失敗した場合、ユーザにその旨を報知する例について説明したが、これに限るものでない。例えば、番組提供装置からの番組のコンテンツデータの取得に失敗した場合は、記憶部が一時記憶している実施順位Ｎに係る各予約記録情報に基づく各画像データ及び音声データの内で、何れか前記レジスタの値の変化が最も少ない画像データ及び音声データに基づいて記録を行うように、ＣＰＵが記録部に指示する構成にしても良い。
【００６４】
実施の形態１及び２においては、画像データ及び音声データを有するテレビジョン番組を例として説明したが、これに限るものでなく、画像データを有しないラジオ番組においても適用可能であることは言うまでもない。
【００６５】
実施の形態１及び２においては、番組情報及び番組のコンテンツデータの取得において、番組提供装置とインターネットを介して接続する場合について説明したが、これに限るものでなく、例えば、光ケーブル、無線電波などを直接に利用しても良い。
【図面の簡単な説明】
【００６６】
【図１】本発明に係る録画装置の構成及び録画装置の番組提供装置との関係を示すブロック図である。
【図２】本発明の実施の形態１に係る録画装置のＣＰＵの制御手順を示すフローチャートである。
【図３】本発明の実施の形態１に係る録画装置のＣＰＵの制御手順を示すフローチャートである。
【図４】電子番組表の一例を示す例示図である。
【図５】本発明の実施の形態２に係る録画装置のＣＰＵの制御手順を示すフローチャートである。
【図６】本発明の実施の形態２に係る録画装置のＣＰＵの制御手順を示すフローチャートである。
【図７】電子番組表の一例を一部省略して示す例示図である。
【図８】予約記録情報の一例を示す例示図である。
【符号の説明】
【００６７】
１  録画装置
２  番組提供装置
８  記憶部
１２  インターネット接続装置
１３  記録部
１０１  ＣＰＵ
１０２  ＲＯＭ
１０３  ＲＡＭ
【図１】
2008104006.tif 000003
【図２】
2008104006.tif 000004
【図３】
2008104006.tif 000005
【図４】
2008104006.tif 000006
【図５】
2008104006.tif 000007
【図６】
2008104006.tif 000008
【図７】
2008104006.tif 000009
【図８】
2008104006.tif 000010